【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
遊技の進行に関わる制御を行う主制御装置と、
該主制御装置からの指示に基づいて演出に関わる制御を行うサブ制御装置と
を備え、
前記主制御装置は、
遊技機の電源が遮断されると、電源復帰後に電源遮断直前の遊技状態から遊技が再開できるバックアップ手段と、
前記遊技状態を示す状態報知手段と、
遊技球の始動口への入球に起因して、大当りとなる確率が高い高確率状態、または大当りとなる確率が該高確率状態よりも低い低確率状態のいずれかで大当り抽選を行なう大当り抽選手段と、
該大当り抽選手段の抽選結果に応じて表示する図柄の種類を決定する図柄決定手段と、
前記抽選結果が大当りの場合に実行する特別遊技と、
該特別遊技終了後に付与される、大当り抽選を所定回数実施するまで前記遊技状態を前記高確率状態に制御する第１特典期間制御手段と、
大当り抽選を規定回数実施するまで前記始動口への遊技球の入球率を通常状態よりも高い高入球率状態に制御する第２特典期間制御手段と
を備え、
前記サブ制御装置は、
前記バックアップ手段を備えず、
前記主制御装置から指示される前記図柄の種類と前記遊技状態に基づいて前記特典内容を報知する演出を行う構成において、
前記主制御装置は、
前記抽選結果が大当りになると、前記図柄に基づいて前記第１特典期間制御手段を実施し、
前記第１特典期間制御手段の実施後に前記第２特典期間制御手段を実施し、
前記低確率状態時に前記抽選結果が大当りになる場合と、前記第１特典期間制御手段または前記第２特典期間制御手段の実施中に前記結果が大当りになる場合とでは、前記第２特典期間制御手段を実施する大当り抽選の前記規定回数を異なる回数に設定する抽選回数設定手段を備え、
前記状態報知手段は、
前記バックアップ手段によって前記高確率状態から遊技を再開すると、
前記抽選回数設定手段による前記設定に応じて異なる態様で前記高確率状態であることを報知する確変報知手段を備える
ことを特徴とする弾球遊技機。
【手続補正２】
【補正対象書類名】明細書
【補正対象項目名】００１３
【補正方法】変更
【補正の内容】
【００１３】
請求項１記載の弾球遊技機は、
遊技の進行に関わる制御を行う主制御装置と、
該主制御装置からの指示に基づいて演出に関わる制御を行うサブ制御装置と
を備え、
前記主制御装置は、
遊技機の電源が遮断されると、電源復帰後に電源遮断直前の遊技状態から遊技が再開できるバックアップ手段と、
前記遊技状態を示す状態報知手段と、
遊技球の始動口への入球に起因して、大当りとなる確率が高い高確率状態、または大当りとなる確率が該高確率状態よりも低い低確率状態のいずれかで大当り抽選を行なう大当り抽選手段と、
該大当り抽選手段の抽選結果に応じて表示する図柄の種類を決定する図柄決定手段と、
前記抽選結果が大当りの場合に実行する特別遊技と、
該特別遊技終了後に付与される、大当り抽選を所定回数実施するまで前記遊技状態を前記高確率状態に制御する第１特典期間制御手段と、
大当り抽選を規定回数実施するまで前記始動口への遊技球の入球率を通常状態よりも高い高入球率状態に制御する第２特典期間制御手段と
を備え、
前記サブ制御装置は、
前記バックアップ手段を備えず、
前記主制御装置から指示される前記図柄の種類と前記遊技状態に基づいて前記特典内容を報知する演出を行う構成において、
前記主制御装置は、
前記抽選結果が大当りになると、前記図柄に基づいて前記第１特典期間制御手段を実施し、
前記第１特典期間制御手段の実施後に前記第２特典期間制御手段を実施し、
前記低確率状態時に前記抽選結果が大当りになる場合と、前記第１特典期間制御手段または前記第２特典期間制御手段の実施中に前記結果が大当りになる場合とでは、前記第２特典期間制御手段を実施する大当り抽選の前記規定回数を異なる回数に設定する抽選回数設定手段を備え、
前記状態報知手段は、
前記バックアップ手段によって前記高確率状態から遊技を再開すると、
前記抽選回数設定手段による前記設定に応じて異なる態様で前記高確率状態であることを報知する確変報知手段を備える
ことを特徴とする弾球遊技機である。
【手続補正３】
【補正対象書類名】明細書
【補正対象項目名】００２１
【補正方法】変更
【補正の内容】
【００２１】
特別遊技は遊技者が容易に遊技球を獲得することが可能な大当り遊技としてもよく、第１特典期間制御手段は、大当り遊技終了後の特典遊技を制御する手段であり、この第１特典期間制御手段によって、大当り遊技終了時から特別図柄の大当り抽選が所定回数実施されるまで、特別図柄の当否判定が高確率状態で実施される。なお、第１特典期間制御手段実施時に、同時に始動口への入球率が高入球率状態に制御される構成でも良いし、制御されない構成でも良い。一般的には高入球率状態に制御される構成が多く、遊技者に非常に有利な遊技状態としている。その場合は高入球率状態が延長するという制御により第２特典期間制御手段が実施されることになる。
【手続補正４】
【補正対象書類名】明細書
【補正対象項目名】００２３
【補正方法】変更
【補正の内容】
【００２３】
第２特典期間制御手段は、大当り当選時の遊技状態によって大当り遊技終了後の特典内容を変化させる手段であり、これにより第１特典期間制御手段が終了しても続いて第２特典期間制御手段が付与されるという構成となる。
【手続補正５】
【補正対象書類名】明細書
【補正対象項目名】００２５
【補正方法】変更
【補正の内容】
【００２５】
第２特典期間制御手段は、第１特典期間制御手段の終了後に実施される特典遊技を制御する手段であり、この第２特典期間制御手段によって、高入球率状態に制御され、特別図柄の大当り抽選が規定回数実施されると終了する構成である。
【手続補正６】
【補正対象書類名】明細書
【補正対象項目名】００２６
【補正方法】変更
【補正の内容】
【００２６】
抽選回数設定手段は、大当り当選時の遊技状態によって大当り遊技終了後の特典内容を変化させる手段であり、これにより第２特典期間制御手段によって開始した高入球率状態（時短状態含む）の終了契機が複数となる構成である。また、この抽選回数設定手段によって、低確率状態と第１特典期間制御手段実施状態、第２特典期間制御手段実施状態で各々異なる回数を設定するようにすることも考えられるし、低確率状態か高確率状態か、高入球率状態か否かで異なる回数を設定することも考えられる。
【手続補正７】
【補正対象書類名】明細書
【補正対象項目名】００２７
【補正方法】変更
【補正の内容】
【００２７】
第１特典期間制御手段または第２特典期間制御手段の実施中に大当りになる場合と、実施中以外に大当りになる場合とでは、高入球率状態を継続して制御する特典期間が異なるが、実施中に大当りになる場合のほうがより多くの抽選回数を設定する構成が好適である。
【手続補正８】
【補正対象書類名】明細書
【補正対象項目名】００２８
【補正方法】変更
【補正の内容】
【００２８】
確変報知手段は、電源遮断状態から遊技が再開した時点が、第１特典期間制御手段によって制御された高確率状態の場合に実施され、再開時が高確率状態であることを報知することに加え、該高確率状態終了後の高入球率状態の継続回数（第２特典期間制御手段による特典期間）を区別可能に報知する構成であり、言い換えれば再開時の高確率状態終了後の特典付与状況までを報知する構成となる。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】変更
【補正の内容】
【００３１】
請求項１記載の弾球遊技機によれば、確変回数切り後に大当り時の遊技状態に応じて異なる回数の高入球率状態が付与されるタイプの遊技機において、電源立上げ時（復帰時）が高確率状態（確率変動状態）であれば、確変報知手段による報知を確認することにより現時点が高確率状態であるということだけに留まらず、該高確率状態終了後に付与される高入球率状態の回数がどの遊技状態における大当りに応じた回数かまで判断可能となり、進行中の遊技がどのような状況なのかを正しく把握することができる。
【手続補正１２】
【補正対象書類名】明細書
【補正対象項目名】００３２
【補正方法】削除
【補正の内容】